(57)【要約】【課題】  シートを確実に送出する機能を維持しながら、装置の小型化、軽量化、低価格化を実現すると共に、ユーザの操作性も向上することが可能なシート給装装置を提供すること。【解決手段】  シート積載部と、一対の給送ローラ及び分離ローラとを有するシート給送装置であって、シート積載部は、略水平にシートを積載して垂直方向に昇降可能なトレイ部と、シート給送方向の前方側及び後方側で、各々シートに当接する位置に垂直方向に配設された先端ストッパ及び後端ストッパとを備え、前記トレイ部に積載された上部のシートは、該トレイ部の上昇時に、最上部に積載されたシート先端部が給送ローラと接するように、シート給送方向に傾斜させられることを特徴とするシート給送装置とする。【選択図】  図１
2007331932.tif 000002
【特許請求の範囲】
【請求項１】
シート積載部と、一対の給送ローラ及び分離ローラとを有するシート給送装置であって、
シート積載部は、略水平にシートを積載して垂直方向に昇降可能なトレイ部と、シート給送方向の前方側及び後方側で、各々シートに当接する位置に垂直方向に配設された先端ストッパ及び後端ストッパとを備え、
前記トレイ部に積載された上部のシートは、該トレイ部の上昇時に、最上部に積載されたシート先端部が給送ローラと接するように、シート給送方向に傾斜させられることを特徴とするシート給送装置。
【請求項２】
前記後端ストッパは、その上部が、ヒンジによってその下部に対してシート給送方向前方側へ傾斜可能に連結され、且つ、垂直方向に復帰するように付勢され、
前記トレイ部に積載された上部のシートは、その後端部が前記後端ストッパの上部の傾斜によって押されることにより、シート給送方向前方側へ傾斜させられることを特徴とする請求項１に記載のシート給送装置。
【請求項３】
前記シート積載部の上側には、該シート積載部にシートを供給するために開閉可能な上カバーが備えられ、
該上カバーの下面には、当該カバー閉鎖時に、前記後端ストッパの上部を押して傾斜させるリブが設けられていることを特徴とする請求項２に記載のシート給送装置。
【請求項４】
前記シート積載部の上側には、該シート積載部にシートを供給するために開閉可能な上カバーが備えられ、
該上カバーの下面には、当該カバー閉鎖時に、前記トレイ部に積載された上部のシートの後端部を押して、シート給送方向前方側へ傾斜させる、傾斜面を有するリブが設けられていることを特徴とする請求項１に記載のシート給送装置。
【請求項５】
前記リブは、ヒンジによって前記上カバーに対して直角方向から平行方向へ回動可能に取り付けられ、該上カバーが閉じられる際に、当該リブの自重によって前記直角方向に復帰することを特徴とする請求項４に記載のシート給送装置。
【請求項６】
前記シート積載部は、画像形成装置本体に収納され、該画像形成装置の正面方向に引き出してシートを供給するように設定され、
該シート積載部が収納される位置の画像形成装置の天井側板には、当該シート積載部の収納時に、前記後端ストッパの上部を傾斜させるようにガイド部材が設けられていることを特徴とする請求項２に記載のシート給送装置。
【発明の詳細な説明】
【技術分野】
【０００１】
本発明は、シート給送装置に関し、より詳しくは、複写機、プリンタ、ファクシミリ等の画像形成装置における画像形成部へシート（用紙）を給送するシート給送装置に関するものである。
【背景技術】
【０００２】
画像形成装置においては、その機能の向上に伴い、装置の大型化、重量化、高価格化が進むと共に、操作が複雑化したため、昨今では機能を維持しながら、装置の小型化、軽量化、低価格化と同時に、ユーザに対する操作性の向上が求められるようになっている。
このような画像形成装置に対する要求は、画像形成部へシート（用紙）を給送するシート給送装置に対しても例外ではなく、その要求に対して種々の提案がなされている。
【０００３】
シート給送装置に対しては、確実に画像形成装置にシートを給送する機能が求められる。すなわち、シート給送装置内のシートが送り出されなかったり、複数枚が一度に送り出されたりするようなことがなく、一枚ずつ確実に送出される機能が不可欠である。この機能は、例えば、シート給送装置内のシートと接触してシートを送出する送出部材と、送出されたシートを一枚ずつさばくさばき機構とによって実現される。
上記送出部材は、シート給送装置に供給されているシートの一番上のシートを送出する態様のものが一般的である。この態様では、シート上に送出部材が位置するため、シートをシート給送装置に供給する際に邪魔になってシート供給時の操作性が低下したり、シート供給後にシートと接触してセットしたシートの位置が移動してシートが確実に送出されなくなったりする不都合が生じる。
【０００４】
そこで、シート送出部材をシートトレイに設け、一番上のシートと接触して送出する送出可能位置と、この位置から離間した退避位置との間を移動自在とし、シートトレイのシート供給時では退避位置に配置され、シートトレイのシート送出時では送出可能位置に配置される可動機構を備えたシート送出部材が提案されている（例えば、下記特許文献１）。
上記シート送出部材によれば、シートをシート給送装置に供給する際に邪魔になったり、供給したシートのセット位置が移動したりすることがなく、シートを確実に送出する機能を維持しながら、シート供給時のユーザの操作性を向上することが可能である。
【０００５】
しかしながら、上述のような可動機構は複雑な機構のため、該可動機構を備えたシート送出部材を有する装置は、大型化及び重量化することを避けられず、これによって高価格化するという弊害も生じる。
【０００６】
【特許文献１】特開２００３−１７６０４２号公報
【発明の開示】
【発明が解決しようとする課題】
【０００７】
本発明は、上述したような従来技術の問題点を解決すべくなされたものであって、シートを確実に送出する機能を維持しながら、装置の小型化、軽量化、低価格化を実現すると共に、ユーザの操作性も向上することが可能なシート給送装置を提供するものである。
【課題を解決するための手段】
【０００８】
請求項１に係る発明は、シート積載部と、一対の給送ローラ及び分離ローラとを有するシート給送装置であって、シート積載部は、略水平にシートを積載して垂直方向に昇降可能なトレイ部と、シート給送方向の前方側及び後方側で、各々シートに当接する位置に垂直方向に配設された先端ストッパ及び後端ストッパとを備え、前記トレイ部に積載された上部のシートは、該トレイ部の上昇時に、最上部に積載されたシート先端部が給送ローラと接するように、シート給送方向に傾斜させられることを特徴とするシート給送装置に関する。
【０００９】
請求項２に係る発明は、前記後端ストッパは、その上部が、ヒンジによってその下部に対してシート給送方向前方側へ傾斜可能に連結され、且つ、垂直方向に復帰するように付勢され、前記トレイ部に積載された上部のシートは、その後端部が前記後端ストッパの上部の傾斜によって押されることにより、シート給送方向前方側へ傾斜させられることを特徴とする請求項１に記載のシート給送装置に関する。
【００１０】
請求項３に係る発明は、前記シート積載部の上側には、該シート積載部にシートを供給するために開閉可能な上カバーが備えられ、該上カバーの下面には、当該カバー閉鎖時に、前記後端ストッパの上部を押して傾斜させるリブが設けられていることを特徴とする請求項２に記載のシート給送装置に関する。
【００１１】
請求項４に係る発明は、前記シート積載部の上側には、該シート積載部にシートを供給するために開閉可能な上カバーが備えられ、該上カバーの下面には、当該カバー閉鎖時に、前記トレイ部に積載された上部のシートの後端部を押して、シート給送方向前方側へ傾斜させる、傾斜面を有するリブが設けられていることを特徴とする請求項１に記載のシート給送装置に関する。
【００１２】
請求項５に係る発明は、前記リブは、ヒンジによって前記上カバーに対して直角方向から平行方向へ回動可能に取り付けられ、該上カバーが閉じられる際に、当該リブの自重によって前記直角方向に復帰することを特徴とする請求項４に記載のシート給送装置に関する。
【００１３】
請求項６に係る発明は、前記シート積載部は、画像形成装置本体に収納され、該画像形成装置の正面方向に引き出してシートを供給するように設定され、該シート積載部が収納される位置の画像形成装置の天井側板６には、当該シート積載部の収納時に、前記後端ストッパの上部を傾斜させるようにガイド部材が設けられていることを特徴とする請求項２に記載のシート給送装置に関する。
【発明の効果】
【００１４】
請求項１に係る発明によれば、一対の給送ローラ及び分離ローラと、トレイ部と、先端ストッパ及び後端ストッパとを備え、トレイ部に積載された上部のシートが、トレイ部の上昇時に、最上部に積載されたシート先端部が給送ローラと接するように、シート給送方向に傾斜させられることによって、シート供給時に、邪魔になるものがなく、操作性を向上することができ、シート給送時には、傾斜された上部のシートと給送ローラとの簡単な構成でもシートを確実に給送することができる。これによって、シートを確実に送出する機能を維持しながら、装置の小型化、軽量化、低価格化を実現すると共に、ユーザの操作性も向上することが可能となる。
【００１５】
請求項２に係る発明によれば、後端ストッパは、その上部が、ヒンジによって下部にシート給送方向前方側へ傾斜可能に連結され、且つ、垂直方向に復帰するように付勢され、トレイ部に積載された上部のシートの後端部が、後端ストッパの上部の傾斜によって押されてシート給送方向前方側へ傾斜させられることによって、シート供給時に、給送ローラや後端ストッパの上部が邪魔にならず、操作性を向上することができ、シート給送時には、傾斜した後端ストッパの上部及び給送ローラの簡単な構成によってシートを確実に給送することができる。
【００１６】
請求項３に係る発明によれば、シートを供給するために開閉可能に備えられた上カバーの下面に、上カバー閉鎖時に、後端ストッパの上部を押して傾斜させるリブが設けられていることによって、シート供給時に、給送ローラや後端ストッパの上部が邪魔にならず、操作性を向上することができ、シート給送時には、傾斜した後端ストッパの上部及び給送ローラの簡単な構成によってシートを確実に給送することができる。
【００１７】
請求項４に係る発明によれば、シートを供給するために開閉可能に備えられた上カバーの下面に、上カバー閉鎖時に、トレイ部に積載された上部のシートの後端部をシート給送方向前方側へ傾斜させる、傾斜面を有するリブが設けられていることによって、シート供給時に、給送ローラやリブはシート供給の邪魔にならず、操作性を向上することができ、シート給送時には、リブの傾斜面及び給送ローラの簡単な構成によってシートを確実に給送することができる。
【００１８】
請求項５に係る発明によれば、リブが、ヒンジによって上カバーに対して直角方向から平行方向へ回動可能に取り付けられ、上カバーが閉じられる際に、リブの自重によって直角方向に復帰することによって、トレイ部に積載されたシート上方の一部領域に突き出したリブを上カバーに対して平行方向に倒して、全くシート上方にかからないようにし、シート供給時の動作範囲をより広げることができ、上カバーの閉鎖時には、ユーザが操作することなくリブによる傾斜面を形成することができる。これによって、ユーザの操作性をより向上することが可能となる。
【００１９】
請求項６に係る発明によれば、シート積載部が画像形成装置の正面方向に引き出してシートを供給するように設定され、収納される位置の画像形成装置の天井側板には、収納時に後端ストッパの上部を傾斜させるようにガイド部材が設けられていることによって、本体デッキのシート給送装置においても、シート供給時に、給送ローラや後端ストッパの上部が邪魔にならず、操作性を向上することができ、シート給送時には、傾斜した後端ストッパの上部及び給送ローラの簡単な構成によってシートを確実に給送することができる。
【発明を実施するための最良の形態】
【００２０】
以下、本発明に係るシート給送装置の好適な実施形態について、図面を参照しつつ説明する。
図１は、本発明に係る第一実施形態のシート給送装置の概略構成を示す正面図である。図２は、図１のシート給送装置における遷移状態を模式的に示し、（ａ）はシート供給時の状態図、（ｂ）はシート給送時の状態図である。
【００２１】
本第一実施形態のシート給送装置は、画像形成装置本体とは別に設けられたサイドデッキである場合の一例である。サイドデッキの場合、シート給送装置は、画像形成装置本体に連結され、画像形成装置本体の画像形成部へシート（用紙）を給送する。
サイドデッキのシート給送装置１は、シート積載部２と、シートを１枚ずつ画像形成部へ給送する一対のローラ（給送ローラ３及び分離ローラ４）と、シート積載部２の上側からシートを供給するために開閉可能な上カバー５とを有する。
【００２２】
シート積載部２は、略水平にシートを積載して垂直方向に昇降可能なトレイ部２１と、シート給送方向の前方側及び後方側で、各々積載されたシートに当接する位置に垂直方向に配設された先端ストッパ２２及び後端ストッパ２３とを備えている。トレイ部２１は、図２（ａ）のシート供給時には、垂直方向の最下位に位置し、図２（ｂ）のシート給送時にはシート最上部が給送ローラ３の最下部に到達する位置まで上昇する。
また、後端ストッパ２３は、上部ストッパ３１と下部ストッパ３２がヒンジ３３で連結して構成されている。上部ストッパ３１は、シート給送方向前方側へ傾斜できるようにヒンジ３３で下部ストッパ３２に連結され、後方側に図示しない引張りバネが引掛けられて垂直方向に復帰するように付勢されている。
【００２３】
上カバー５は、その下面に直方体のリブ５１が設けられている。上カバー５の閉鎖時には、図１に示すように、リブ５１が上部ストッパ３１に干渉することによって、上部ストッパ３１は積載されたシート側（シート給送方向前方側）へ傾斜させられる。
【００２４】
ここで、リブ５１のシート給送方向直角方向の幅は、シート幅の長さを要するものではなく、上部ストッパ３１を傾斜させることができる長さがあればよい。例えば、トレイ部２１にはシート給送方向左右側にも図示しないストッパが設けられているので、先端ストッパ２２及び後端ストッパ２３とも、シート幅の長さで設ける必要はなく、左右側ストッパと先端ストッパ２２及び後端ストッパ２３とでシートが固定されればよい。従って、例えば、後端ストッパ２３がシート幅の中央部分にだけ設けられる場合、その後端ストッパ２３の幅に合わせたリブ５１の幅があればよい。なお、トレイ部２１に種々のサイズのシートを設定できる場合には、それらのサイズに対応できる幅や複数の位置にリブ５１を設けるようにする。
【００２５】
また、リブ５１の形状については、直方体に限定されず、上部ストッパ３１を傾斜させることができればよいが、安定や、上部ガイド３１との摩擦等を考慮して、シート給送方向前面側が、上カバー５の閉鎖時の上部ストッパ３１に合わせた傾斜角度を有する６面体としてもよい。
【００２６】
次に、シート供給時からシート給送時までのシート給送装置１における状態変化について、図１及び２を参照して説明する。
トレイ部２１にシートを供給するとき、図１の破線で示すように、上カバー５を開放するとリブ５１による干渉がなくなって、引張りバネの付勢力によって上部ストッパ３１が垂直方向に戻る。このとき、トレイ部２１は、上カバー５の開放動作によって、図２（ａ）のように最下位まで降下している。
この図２（ａ）の状態で、シートを供給する。
【００２７】
シート供給を終えて、上カバー５を閉鎖するとき、上部ストッパ３１がリブ５１の干渉を受けて、図１のようにシート給送方向へ傾斜する。
そして、上カバー５が閉鎖されると、トレイ部２１は供給されたシート最上部が給送ローラ３の最下部に到達する位置まで上昇する。このとき、上部ストッパ３１と当接するシートは、シート給送方向前方側に若干移動し、図２（ｂ）のように、より上部のシートほどシート給送方向のより前方に位置することになる。
この図２（ｂ）の状態で、給送ローラ３がトレイ部２１に積載されたシートのうち、最上部のシートを給送方向前方側へ給送すると、分離ローラ４は、給送ローラ３から給送されるシートを１枚ずつ、図示しない画像形成装置本体の画像形成部へ給送する。
【００２８】
このように、後端ストッパ２３は、上部ストッパ３１が、ヒンジ３３によって下部ストッパ３２にシート給送方向前方側へ傾斜可能に連結され、且つ、垂直方向に復帰するように付勢され、上カバー５の閉鎖時に、その下面に設けられたリブ５１によって上部ストッパ３１が傾斜され、トレイ部２１が上昇したとき、最上部に積載されたシート先端部が給送ローラ３と接するので、シート供給時に、給送ローラ３や上部ストッパ３１が邪魔にならず、操作性を向上することができ、シート給送時には、傾斜した上部ストッパ３１及び給送ローラ３の簡単な構成によってシートを確実に給送することができる。
これによって、シートを確実に送出する機能を維持しながら、装置の小型化、軽量化、低価格化を実現すると共に、ユーザの操作性も向上することが可能となる。
【００２９】
図３は、本発明に係る第二実施形態のシート給送装置の一例の概略構成を示し、（ａ）は正面図であり、（ｂ）は右側面図である。本第二実施形態のシート給送装置は、第一実施形態と同様、サイドデッキのシート給送装置１１であり、後端ストッパ２３及び上カバー５における構成が一部異なる以外は、第一実施形態のシート給送装置と同じ構成である。第一実施形態と同じ構成については、同じ符号を付して示す。
シート給送装置１１は、第一実施形態のシート給送装置１と同様、シート積載部２と、一対のローラ（給送ローラ３及び分離ローラ４）と、上カバー５とを有する。
【００３０】
シート積載部２は、第一実施形態と同様、トレイ部２１と、先端ストッパ２２及び後端ストッパ２５とを備えているが、後端ストッパ２５は、第一実施形態と異なり、上部ストッパと下部ストッパに分かれておらず、上部が傾斜することもない。
上カバー５は、第一実施形態と同様、その下面にリブ５３が設けられているが、図３（ａ）及び（ｂ）に示すように、傾斜面を有し、後端ストッパ２５のない２箇所に設けられている。なお、リブ５３は、上カバー５に対して着脱可能であり、シートサイズに応じた複数の取り付け位置が設けられている。
【００３１】
次に、シート給送装置１１におけるシート供給時からシート給送時までの状態変化について、図２及び３を参照して説明する。
トレイ部２１にシートを供給するとき、図３の破線で示すように、上カバー５を開放するとリブ５３による傾斜がなくなる。このとき、トレイ部２１は、図２（ａ）のように最下位まで降下している。
【００３２】
この図２（ａ）の状態で、シートを供給し、シート供給を終えて、上カバー５を閉鎖すると、リブ５３によって傾斜面が形成され、トレイ部２１は供給されたシート最上部が給送ローラ３の最下部に到達する位置まで上昇する。このとき、リブ５３の傾斜面と当接するシートは、第一実施形態と同様、図２（ｂ）のようにシート給送方向前方側に若干移動し、給送ローラ３及び分離ローラ４によって画像形成部へ給送される。
【００３３】
このように、上カバー５の閉鎖時に、その下面に設けられたリブ５３によって、シート給送方向前方側へ傾斜する面が形成され、トレイ部２１が上昇したとき、最上部に積載されたシート先端部が給送ローラ３と接するので、シート供給時に、給送ローラ３やリブ５３はシート供給の邪魔にならず、操作性を向上することができ、シート給送時には、リブ５３の傾斜面及び給送ローラ３の簡単な構成によってシートを確実に給送することができる。これによって、シートを確実に送出する機能を維持しながら、装置の小型化、軽量化、低価格化を実現すると共に、ユーザの操作性も向上することが可能となる。
【００３４】
図４は、本発明に係る第二実施形態のシート給送装置の他の例の概略構成を示し、（ａ）は正面図であり、（ｂ）は右側面図である。図５は、図４のリブを拡大して示し、（ａ）は正面拡大図であり、（ｂ）は右側面拡大図である。本第二実施形態の他の例であるシート給送装置１２は、上カバー５におけるリブ５４の構成が異なる以外は、第二実施形態の一例と同じ構成である。第二実施形態の一例と同じ構成については、同じ符号を付して示し、該一例と異なる構成について説明する。なお、図４（ａ）及び（ｂ）には、上カバー５の開放時及び閉鎖時の両状態を示している。
【００３５】
上カバー５は、第二実施形態の一例と同様、その下面にテーパー形状のリブ５４が設けられているが、図４及び５に示すように、リブ５４は上カバー５にヒンジ５７によって取り付けられている。２箇所のリブ５４は、夫々内側の上カバー５方向へ回動可能になっている。リブ５４は、上カバー５の開放時にユーザの操作によって上カバー５方向へ回動させられて倒され、上カバー５の閉鎖時にリブ５４の自重によって上カバー５に対して直角方向へ回動する。上カバー５は、図４（ａ）に示すように略垂直位置（閉鎖状態から約９０°）で開放して止まるようになっている。この位置は、リブ５４の自重を考慮して、閉鎖状態から９０°より小さい角度では、リブ５４の自重によって上カバー５に対して直角方向へ回動してしまうので、９０°よりやや大きい角度で開放して止まるように設定することが好ましい。なお、リブ５４は、上カバー５に対して外側に倒すようにしてもよい。
【００３６】
次に、シート給送装置１２におけるシート供給時からシート給送時までの状態変化について、図２、４及び５を参照して説明する。
トレイ部２１にシートを供給するとき、上カバー５を開放すると、トレイ部２１ではリブ５４による傾斜がなくなり、上カバー５は、図４（ａ）のように略垂直位置で止まり、リブ５４は、図４（ａ）の破線で示すように上カバー５に対して直角方向のままで、トレイ部２１に積載されたシート上方の一部領域に突き出ている。
【００３７】
次いで、ユーザの操作によって、リブ５４が上カバー５方向へ回動させられ、図４（ａ）及び（ｂ）の開放された上カバー５において実線で示すように倒される。このとき、トレイ部２１は、図２（ａ）のように最下位まで降下している。
この状態でシートを供給し、シート供給を終えて、上カバー５を閉鎖するとき、リブ５４はその自重によって上カバー５に対して直角方向へ回動する。閉鎖すると、第二実施形態の一例と同様、リブ５４によって傾斜面が形成され、トレイ部２１は供給されたシート最上部が給送ローラ３の最下部に到達する位置まで上昇し、リブ５４の傾斜面と当接するシートはシート給送方向前方側に若干移動し、シートを給送ローラ３及び分離ローラ４によって画像形成部へ給送する。
【００３８】
このように、第二実施形態の一例と同様の構成によって、シートを確実に送出する機能を維持しながら、装置の小型化、軽量化、低価格化を実現すると共に、ユーザの操作性も向上することが可能となる。さらに、リブ５４が上カバー５の下面にヒンジによって上カバー５に対して直角方向から平行方向へ回動可能に取り付けられていることによって、トレイ部２１に積載されたシート上方の一部領域に突き出したリブ５４を上カバー５に対して平行方向に倒して、全くシート上方にかからないようにし、シート供給時の動作範囲をより広げることができる。また、上カバー５の閉鎖時には、リブ５４の自重によって上カバー５に対して直角になることによって、ユーザが操作することなくリブ５４による傾斜面を形成することができる。これによって、ユーザの操作性をより向上することができる。
【００３９】
図６は、本発明に係る第三実施形態のシート給送装置の概略構成を示し、（ａ）は正面図であり、（ｂ）はデッキを挿入する状態を示す概略平面図である。第一実施形態と同じ構成については、同じ符号を付して示す。
本第三実施形態のシート給送装置は、画像形成装置本体に設けられた本体デッキである場合の一例である。本体デッキの場合、シート給送装置は、例えば、画像形成装置本体下部に設けられる。
【００４０】
本体デッキのシート給送装置１５は、引き出し式のデッキであるシート積載部２と、一対のローラ（給送ローラ３及び分離ローラ４）と、デッキが画像形成装置本体下部に収納される位置の天井側板６とを有する。
シート積載部２は、第一実施形態と同様、トレイ部２１と、先端ストッパ２２及び後端ストッパ２３とを備える。後端ストッパ２３は、第一実施形態と同様に、上部ストッパ３１は、シート給送方向前方側へ傾斜できるようにヒンジ３３で下部ストッパ３２に連結され、後方側に図示しない引張りバネが引掛けられて垂直方向に復帰するように付勢されている。
【００４１】
天井側板６には、その下面に図６（ａ）及び（ｂ）に示すような上下面が台形状の四角柱のガイド部材７が設けられている。デッキ（シート積載部２）が画像形成装置本体下部に挿入されるとき、図６（ｂ）に示すように、後端ストッパ２３の上部ストッパ３１が、ガイド部材７に当たり、そのテーパー形状の面にガイドされて積載されたシート側へ傾斜させられる。従って、ガイド部材７の形状として、図示例では上下面が台形状の四角柱のものを示したが、これに限らず、デッキが挿入される正面側に傾斜を有し、デッキ挿入時に上部ストッパ３１が当たってガイドされて傾斜させられる形状であればよい。
【００４２】
次に、シート給送装置１５におけるシート供給時からシート給送時までの状態変化について、図２及び６を参照して説明する。
トレイ部２１にシートを供給するとき、図６（ａ）の紙面上下方向にデッキ（シート積載部２）を引き出すと、ガイド部材７による干渉がなくなって、引張りバネの付勢力によって上部ストッパ３１が垂直方向に復帰する。このとき、トレイ部２１は、デッキを引き出す動作によって、図２（ａ）のように最下位まで降下している。
【００４３】
この図２（ａ）の状態でシートを供給した後、デッキを画像形成装置本体下部へ挿入して収納するとき、図６（ｂ）のように上部ストッパ３１がガイド部材７の傾斜を有する正面に当たってガイドされて積載されたシート側へ傾斜する。
そして、デッキが挿入されると、第一実施形態と同様に、トレイ部２１は供給されたシート最上部が給送ローラ３の最下部に到達する位置まで上昇し、上部ストッパ３１と当接するシートはシート給送方向前方側に若干移動し、シートを給送ローラ３及び分離ローラ４によって画像形成部へ給送する。
【００４４】
このように、後端ストッパ２３は、上部ストッパ３１が、ヒンジ３３によって下部ストッパ３２にシート給送方向前方側へ傾斜可能に連結され、且つ、垂直方向に復帰するように付勢され、デッキ（シート積載部２）の収納時に、その収納位置の天井側板６に設けられたガイド部材７によって上部ストッパ３１が傾斜され、トレイ部２１が上昇したとき、最上部に積載されたシート先端部が給送ローラ３と接するので、シート供給時に、給送ローラ３や上部ストッパ３１が邪魔にならず、操作性を向上することができ、シート給送時には、傾斜した上部ストッパ３１及び給送ローラ３の簡単な構成によってシートを確実に給送することができる。
これによって、本体デッキのシート給送装置においても、シートを確実に送出する機能を維持しながら、装置の小型化、軽量化、低価格化を実現すると共に、ユーザの操作性も向上することが可能となる。
【産業上の利用可能性】
【００４５】
本発明は、シート（用紙）を画像形成部に給送するシート給送装置を有する複写機、プリンタ、ファクシミリ等の画像形成装置に対して好適に利用されるものである。
【図面の簡単な説明】
【００４６】
【図１】本発明に係る第一実施形態のシート給送装置の概略構成を示す正面図である
【図２】図１のシート給送装置における遷移状態を模式的に示し、（ａ）はシート供給時の状態図であり、（ｂ）はシート給送時の状態図である。
【図３】本発明に係る第二実施形態のシート給送装置の一例の概略構成を示し、（ａ）は正面図であり、（ｂ）は右側面図である。
【図４】本発明に係る第二実施形態のシート給送装置の他の例の概略構成を示し、（ａ）は正面図であり、（ｂ）は右側面図である。
【図５】図４のリブを拡大して示し、（ａ）は正面拡大図であり、（ｂ）は右側面拡大図である。
【図６】本発明に係る第三実施形態のシート給送装置の概略構成を示し、（ａ）は正面図であり、（ｂ）はデッキを挿入する状態を示す概略平面図である。
【符号の説明】
【００４７】
１，１１，１２      シート給送装置
２      シート積載部
３      給送ローラ
４      分離ローラ
５      上カバー
２１    トレイ部
２２    先端ストッパ
２３    後端ストッパ
３１    上部ストッパ
３２    下部ストッパ
３３    ヒンジ
５１    リブ
【図１】
2007331932.tif 000003
【図２】
2007331932.tif 000004
【図３】
2007331932.tif 000005
【図４】
2007331932.tif 000006
【図５】
2007331932.tif 000007
【図６】
2007331932.tif 000008